(57)【特許請求の範囲】
【請求項１】
原稿搬送経路に露光後の原稿を排紙するためのターン部が形成され、該ターン部に原稿の両面とも露光するための原稿反転路が切り換え可能に形成された画像形成装置の原稿送り装置において、
前記ターン部が、ターン径となる回転自在なガイドコロとそのガイドコロの外周側に設けた原稿ガイド部材とで構成されているとともに、該ターン部の入口及び前記原稿反転路の出口にそれぞれ原稿に搬送力を与え、前記ターン部の内周側では前記原稿の搬送抵抗により前記ガイドコロを回転させて前記原稿を反転させつつ搬送させる原稿搬送手段が設けられていることを特徴とする原稿送り装置。
【請求項２】
請求項１に記載の画像形成装置の原稿送り装置において、前記ターン部の入口及び前記原稿反転路の出口にそれぞれ設けた原稿搬送手段が共通の駆動回転体と、該駆動回転体によって従動回転する入口側従動回転体と出口側従動回転体とで構成されていることを特徴とする原稿送り装置。
【発明の詳細な説明】
【０００１】
【産業上の利用分野】
本発明は、原稿搬送経路に露光後の原稿を排紙するためのターン部が形成され、該ターン部に原稿の両面とも露光するための原稿反転路が切り換え可能に形成された複写機、ファクシミリ、プリンタ等の画像形成装置に付設される原稿送り装置に関する。
【０００２】
【従来の技術】
近年、複写機等の多機能や紙資源節約等により、両面原稿が増えており、このため両面原稿から両面コピーを得る機会も多くなっている。そこで、従来の原稿送り装置において両面原稿から両面コピーを容易に得られるように、自動的に両面原稿の表裏とも露光できる反転機能を備えた装置（以下、ＡＲＤＦという）が既に提案されている。このＡＲＤＦにおける原稿の反転や排紙は、駆動する反転ローラを設けたターン部でターンしてから行うのが一般的であり、このため反転ローラは原稿に対する負担や駆動系にかかる負荷を考慮すると、その反転ローラの径をなるべく大きく取ることが好ましい。一方、複写機等の画像形成装置では小型化の要求が年々高まっており、このためＡＲＤＦのターン径である反転ローラの径も小さくすることが要望されている。
【０００３】
【発明が解決しようとする課題】
しかしながら、ＡＲＤＦのターン径を小さくするには、原稿に対する負担や駆動系にかかる負荷という問題をクリアしなければならない。特に、ＡＲＤＦは多種多様の原稿を搬送するため、腰の強い原稿でも確実にターンさせねばならず、さらに複写機等の高速化に伴いターン部にその速度を許容できる駆動力を確保しなければならない。従って、従来のＡＲＤＦの場合では、単に反転ローラ等の径を小さくした場合、原稿に対する負担という問題をクリアできないだけでなく、ターン部に必要な原稿搬送力も得られなかった。
【０００４】
本発明は、上記した従来の事情に鑑み、ターン部の径を小さくしてもターン部に必要な原稿搬送力が確実に得られる原稿送り装置を提供することを目的としている。
【０００５】
【課題を解決するための手段】
本発明は、上記目的を達成するために、原稿搬送経路に露光後の原稿を排紙するためのターン部が形成され、該ターン部に原稿の両面とも露光するための原稿反転路が切り換え可能に形成された画像形成装置の原稿送り装置において、前記ターン部が、ターン径となる回転自在なガイドコロとそのガイドコロの外周側に設けた原稿ガイド部材とで構成されているとともに、該ターン部の入口及び前記原稿反転路の出口にそれぞれ原稿に搬送力を与え、前記ターン部の内周側では前記原稿の搬送抵抗により前記ガイドコロを回転させて前記原稿を反転させつつ搬送させる原稿搬送手段が設けられていることを特徴としている。
【０００６】
さらに、本発明は上記目的を達成するために、前記ターン部の入口及び前記原稿反転路の出口にそれぞれ設けた原稿搬送手段が共通の駆動回転体と、該駆動回転体によって従動回転する入口側従動回転体と出口側従動回転体とで構成されていることを特徴としている。
【０００７】
【作用】
上記構成によれば、ターン部が内周側及び外周側の原稿ガイド部材で構成され、内周側の原稿ガイド部材がターン部の周方向に回転可能であるので、搬送抵抗のかかるターン部の前に搬送力がかかり、反転出口でも搬送力がかかるため、ターン部の出口から原稿を引っ張り出し、入口の搬送力と相まってターン部の原稿搬送を安定することができる。
【０００８】
【実施例】
以下、本発明の実施例に添付図面に従って説明する。
【０００９】
図１は、本発明に係るＡＲＤＦを示す全体概略図である。図１において、符号１で示すＡＲＤＦは複写機本体２に対しそのコンタクトガラス３上に図示していないヒンジを介して開閉可能に装着されている。このＡＲＤＦ１は、コンタクトガラス３を覆う大きさを有する搬送ベルトを備えた搬送ベルト機構４と、該搬送ベルト機構４の一側、本例では図面の左側に配置された原稿給紙機構５と、搬送ベルト機構４の他側である図面の右側に配置された反転・排出機構６とを有している。また、ＡＲＤＦ１の中央上部位置には給紙する原稿をセットする原稿テーブル７が設けられ、その下方が排紙した原稿をスタックする原稿排出部８となっている。なお、搬送ベルト機構４や原稿給紙機構５は本願発明の要旨ではないので、その詳しい説明を省略する。
【００１０】
このＡＲＤＦ１の反転・排出機構６には、図１及び図２に示すように、その入口に原稿搬送手段としての比較的大径の反転駆動ローラ１０と小径の入口従動ローラ１１とで構成された反転入口駆動部が設けられ、この入口駆動部に続いて外周側の原稿ガイド部材１２と内周側のガイドコロ１３とで構成されたターン部が設けられている。このガイドコロ１３は、図３に示すように、反転駆動ローラ１０の軸と平行な軸１４に複数個のコロ状リブ１５が取り付けられている。この場合、ガイドコロ１３は軸１４とコロ状リブ１５が別々の部材で、コロ状リブ１５が軸１４に対し回転自在に装着するようにしても良いが、ガイドコロ１３はモールドで軸１４とコロ状リブ１５と一体に成形したものが好ましい。ガイドコロ１３をモールドで成形すれば、大きな負荷の恐れがないので、軸受なしで側板１６に取り付けられる。また、ガイドコロ１３が比較的幅の細いコロ状リブ１５からなっているので、面で構成したものと比べより少ない搬送抵抗となり、スムーズな原稿搬送が得られる。
【００１１】
反転・排出機構６には、上記構成のターン部に続いて切換爪１７が設けられ、切換爪１７が図示していないソレノイドによって図２の鎖線の位置に切り換えられると、原稿は排紙ローラ対１８によって原稿排出部８に排紙される。また、切換爪１７が図２の実線の位置に切り換えられると、原稿はガイドコロ１３を略１周するように反転して原稿搬送手段としての上記反転駆動ローラ１０と出口従動ローラ１９とで構成される反転出口駆動部を介して再び搬送ベルト機構４に戻される。
【００１２】
かく構成のＡＲＤＦ１が作動されるとき、片面複写の場合には原稿給紙機構５によって給紙された原稿が、搬送ベルト機構４によってコンタクトガラス３上の所定位置に停止して露光された後に、反転・排出機構６へ搬送され、原稿はまず反転駆動ローラ１０と入口従動ローラ１１とによってターン部を突き進むのに十分な搬送力が与えられる。すなわち、反転駆動ローラ１０と入口従動ローラ１１は原稿に対し小径のターン部を反転させながらでなく、その手前の原稿が平面に近い状態で搬送力を与えているので、原稿に十分な搬送力が与えられる。そして、原稿が反転・排出機構６中の搬送路を進み、ガイドコロ１３でターンされ、このとき切換爪１７が鎖線の位置に切り換えられていることにより、排紙コロ１８によって原稿排紙部８へ排出される。従って、原稿は反転駆動ローラ１０と入口従動ローラ１１とによってターン部を突き進むのに十分な搬送力が与えられた後、その先端が排紙コロ１８に挾持されれば、原稿の先端側と後端側とでその搬送力で小径にしたターン部でもこれを通過するのに十分な搬送力が与えられる。
【００１３】
また、両面複写の場合には原稿給紙機構５によって給紙された原稿が、先ず搬送ベルト機構４によってコンタクトガラス３上をそのまま搬送して反転・排出機構６中の搬送路に導かれ、切換爪１７を実線の位置に切り換えられていることによってガイドコロ１３に沿ってターンされて、原稿が平面に近い状態になったときに反転駆動コロ１０と反転出口従動コロ１９によって搬送力を与えられる。そして、原稿は反転路を排出され、そのタイミングを合わせて逆回転する搬送ベルト機構４コンタクトガラス３上の所定位置に運ばれ、裏面が露光される。その後、再び反転・排出機構６で反転された上で表面を露光され、片面複写時と同様に、反転・排出機構６を通って原稿排紙部３１へ排出される。
【００１４】
かくして、原稿は反転・排出機構６でターンされ、特に両面時ではガイドコロ１３を１周近くターンされるが、原稿は反転・排出機構６の入口で反転駆動ローラ１０と入口従動ローラ１１とによって搬送力が与えられ、反転・排出機構６の出口で反転駆動コロ１０と反転出口従動コロ１９によって搬送力を与えられるので、ターンに必要な搬送力が確実に得られる。すなわち、原稿は反転駆動ローラ１０と入口従動ローラ１１とによってターン部を突き進むのに十分な搬送力が与えられて反転後、その先端が反転駆動コロ１０と反転出口従動コロ１９に挾持されれば、原稿がターン部の出口から引っ張り出される作用が与えられるので、ターンに必要な搬送力が確実に得られる。そして、ターン部のガイドコロ１３は自由に回転することも相まってターン径を小さくできる許容度も大きくなる。
【００１５】
なお、反転・排出機構６の入口側と出口側の原稿搬送手段は別々に駆動しても良いが、本実施例のように反転駆動ローラ１０を入口側と出口側とで供用することで、省スペース、省コスト等の点できわめて有利である。
【００１６】
【発明の効果】
請求項１の構成によれば、ターン部が、ターン径となる回転自在なガイドコロとそのガイドコロの外周側に設けた原稿ガイド部材とで構成されているとともに、該ターン部の入口及び原稿反転路の出口にそれぞれ原稿に搬送力を与え、ターン部の内周側では原稿の搬送抵抗によりガイドコロを回転させて原稿を反転させつつ搬送させる原稿搬送手段が設けられているので、搬送抵抗のかかるターン部で原稿搬送力を付与することを前に搬送力がかかり、反転出口でも搬送力がかかるため、ターン部の出口から原稿を引っ張り出し、入口の搬送力と相まってターン部の原稿搬送を安定することができる。
【００１７】
請求項２の構成によれば、ターン部の入口及び前記原稿反転路の出口にそれぞれ設けた原稿搬送手段が共通の駆動回転体と、該駆動回転体によって従動回転する入口側従動回転体と出口側従動回転体とで構成されているので、１つの駆動回転体で入口及び出口の原稿搬送手段を共用し、構成が簡単で安価にて提供できる。
【図面の簡単な説明】
【図１】本発明に係るＡＲＤＦを示す全体概略図である。
【図２】そのＡＲＤＦの反転・排出機構の拡大図である。
【図３】その反転・排出機構の斜視図である。
【符号の説明】
１  ＡＲＤＦ
６  反転・排出機構
１０  反転駆動ローラ
１１  反転入口従動ローラ
１３  ガイドローラ
１７  切り換え爪
１９  反転出口従動コロ
【図１】
0003782474.tif 000002
【図２】
0003782474.tif 000003
【図３】
0003782474.tif 000004